(57)【要約】【課題】木質の下柱と木質の上柱との接合部分の強度及び剛性を大きくできる柱接合構造等を提供する。【解決手段】木質の下柱１Ｘに設けられた金属製の下側接合部材２Ｘと、木質の上柱１Ｙに設けられた金属製の上側接合部材２Ｙとを備え、下側接合部材と上側接合部材とが接合されることによって上柱と下柱とが接合された柱接合構造において、下側接合部材２Ｘは、下柱の上部側に固定手段により固定された固定部２Ａと、固定部の上端に設けられて上面２ａが下柱の中心軸と直交する方向に延長する接合部２Ｂとを備え、上側接合部材２Ｙは、上柱の下部側に固定手段により固定された固定部２Ａと、固定部の下端に設けられて下面２ｂが上柱の中心軸と直交する方向に延長する接合部２Ｂとを備え、下側接合部材の接合部の上面と上側接合部材の接合部の下面とが接触した状態で、下側接合部材の接合部と上側接合部材の接合部とが接合手段により接合された。【選択図】図１
2020147998.tif 000002
【特許請求の範囲】
【請求項１】
下側に配置された木質の下柱の上端面よりも上方に突出するように設けられた金属製の下側接合部材と、上側に配置された木質の上柱の下端面よりも下方に突出するように設けられた金属製の上側接合部材とを備え、
下側接合部材と上側接合部材とが接合されることによって上柱と下柱とが接合された柱接合構造において、
下側接合部材は、下柱の上部側に固定手段により固定された固定部と、固定部の上端に設けられて上面が下柱の中心軸と直交する方向に延長する接合部とを備え、
上側接合部材は、上柱の下部側に固定手段により固定された固定部と、固定部の下端に設けられて下面が上柱の中心軸と直交する方向に延長する接合部とを備え、
下側接合部材の接合部の上面と上側接合部材の接合部の下面とが接触した状態で、下側接合部材の接合部と上側接合部材の接合部とが接合手段により接合されたことを特徴とする柱接合構造。
【請求項２】
下側接合部材及び上側接合部材は、Ｔ形鋼により構成され、
Ｔ形鋼の横板を接合部として機能させるとともに、Ｔ形鋼の縦板を固定部として機能させたことを特徴とする請求項１に記載の柱接合構造。
【請求項３】
接合手段は、
下側接合部材の接合部と上側接合部材の接合部とを貫通するように形成された連結軸挿入用貫通孔と、
連結軸挿入用貫通孔に挿入された連結軸と、
連結軸を連結軸挿入用貫通孔に固定した固定部材とを備えたことを特徴とする請求項１又は請求項２に記載の柱接合構造。
【請求項４】
下柱及び上柱は、
材軸方向と直交する断面が矩形状に形成された複数の木製の柱構成部材が接合されて１つの柱構成部材の断面よりも大きい断面に形成された柱であって、
材軸方向に沿った対向面同士が所定の間隔を隔てて互いに対向するように配置された一方の柱構成部材及び他方の柱構成部材と、
互いに所定の間隔を隔てて対向する一方の柱構成部材の対向面と他方の柱構成部材の対向面との間に設けられた金属板と、
金属板の一方の板面と一方の柱構成部材の対向面とが接触し、かつ、金属板の他方の板面と他方の柱構成部材の対向面とが接触した状態で、当該一方の柱構成部材と金属板と他方の柱構成部材とを接合した接合手段とを備えて構成され、
上側接合部材の固定部が、上柱の下端面に開口する一方の柱構成部材の対向面と他方の柱構成部材の対向面との間に挿入されて固定手段により固定され、
下側接合部材の固定部が、下柱の上端面に開口する一方の柱構成部材の対向面と他方の柱構成部材の対向面との間に挿入されて固定手段により固定されたことを特徴とする請求項１乃至請求項３のいずれか一項に記載の柱接合構造。
【請求項５】
固定手段は、
一方の柱構成部材と固定部と他方の柱構成部材とに亘って連続するように設けられた連結軸挿入用貫通孔と、
連結軸挿入用貫通孔に挿入された連結軸と、
連結軸を連結軸挿入用貫通孔に固定した固定部材とを備えたことを特徴とする請求項４に記載の柱接合構造。
【請求項６】
一方の柱構成部材と金属板と他方の柱構成部材とを接合した接合手段は、
一方の柱構成部材と金属板と他方の柱構成部材とに亘って連続するように設けられた連結軸挿入用貫通孔と、
連結軸挿入用貫通孔に挿入された連結軸と、
連結軸を連結軸挿入用貫通孔に固定した固定部材とを備えたことを特徴とする請求項４又は請求項５に記載の柱接合構造。
【請求項７】
金属板は、Ｔ形鋼の縦板により形成され、
Ｔ形鋼は、一方の柱構成部材の対向面及び他方の柱構成部材の対向面と縦板の板面とが接触し、かつ、一方の柱構成部材の対向面と直交して材軸方向に延長する一方の柱構成部材の外面及び他方の柱構成部材の対向面と直交して材軸方向に延長する他方の柱構成部材の外面と横板における縦板側の板面とが接触した状態に設置されたことを特徴とする請求項４乃至請求項６のいずれか一項に記載の柱接合構造。
【請求項８】
請求項１乃至請求項７のいずれか一項に記載の柱接合構造により接合された柱と木質の梁との柱梁接合構造であって、
上側接合部材の接合部又は下側接合部材の接合部が、柱の側面よりも外側に延長する梁接合部を備え、
当該梁接合部と梁の端面から外方に延長するように設けられた金属製の柱接合部とが接合手段により接合されたことにより、柱と梁とが接合されたことを特徴とする柱梁接合構造。
【請求項９】
梁は、
材軸方向と直交する断面が矩形状に形成された複数の木製の梁構成部材が接合されて１つの梁構成部材の断面よりも大きい断面に形成された梁であって、
材軸方向に沿った対向面同士が所定の間隔を隔てて互いに対向するように配置された一方の梁構成部材及び他方の梁構成部材と、
互いに所定の間隔を隔てて対向する一方の梁構成部材の対向面と他方の梁構成部材の対向面との間に設けられた金属板と、
金属板の一方の板面と一方の梁構成部材の対向面とが接触し、かつ、金属板の他方の板面と他方の梁構成部材の対向面とが接触した状態で、当該一方の梁構成部材と金属板と他方の梁構成部材とを接合した接合手段とを備えて構成され、
金属板は、Ｔ形鋼の縦板により形成され、
Ｔ形鋼は、一方の柱構成部材の対向面及び他方の柱構成部材の対向面と縦板の板面とが接触し、かつ、一方の柱構成部材の対向面と直交して材軸方向に延長する一方の柱構成部材の外面及び他方の柱構成部材の対向面と直交して材軸方向に延長する他方の柱構成部材の外面と横板における縦板側の板面とが接触した状態に設置され、
柱接合部は、梁の端面から外方に延長するように設けられたＴ形鋼の横板により形成されたことを特徴とする請求項８に記載の柱梁接合構造。
【発明の詳細な説明】
【技術分野】
【０００１】
本発明は、木質の下柱と木質の上柱とが接合部材により接合された柱接合構造等に関する。
【背景技術】
【０００２】
木質の下柱の上端面より柱の内部に向けて柱の中心軸に沿った方向に延長する溝（スリット）を形成するとともに、木質の上柱の下端面より柱の内部に向けて柱の中心軸に沿った方向に延長する溝（スリット）を形成し、これら溝に鋼板により形成された接合板を装着し、接合板の上端側と上柱とをドリフトピン等で固定するとともに、接合板の下端側と下柱とをドリフトピン等で固定することにより、下柱と上柱とを接合した柱接合構造が知られている（特許文献１参照）。
【先行技術文献】
【特許文献】
【０００３】
【特許文献１】特開２００８−１７４９６２号公報
【発明の概要】
【発明が解決しようとする課題】
【０００４】
しかしながら、上述した柱接合構造では、下柱と上柱とが、柱の中心軸に沿って延長する板面を有した平板により形成された接合板で接合されただけの構造であるため、接合部分の強度及び剛性が小さいという課題がある。
本発明は、木質の下柱と木質の上柱との接合部分の強度及び剛性を大きくできる柱接合構造等を提供するものである。
【課題を解決するための手段】
【０００５】
本発明に係る柱接合構造は、下側に配置された木質の下柱の上端面よりも上方に突出するように設けられた金属製の下側接合部材と、上側に配置された木質の上柱の下端面よりも下方に突出するように設けられた金属製の上側接合部材とを備え、下側接合部材と上側接合部材とが接合されることによって上柱と下柱とが接合された柱接合構造において、下側接合部材は、下柱の上部側に固定手段により固定された固定部と、固定部の上端に設けられて上面が下柱の中心軸と直交する方向に延長する接合部とを備え、上側接合部材は、上柱の下部側に固定手段により固定された固定部と、固定部の下端に設けられて下面が上柱の中心軸と直交する方向に延長する接合部とを備え、下側接合部材の接合部の上面と上側接合部材の接合部の下面とが接触した状態で、下側接合部材の接合部と上側接合部材の接合部とが接合手段により接合されたことを特徴とする。
また、下側接合部材及び上側接合部材は、Ｔ形鋼により構成され、Ｔ形鋼の横板を接合部として機能させるとともに、Ｔ形鋼の縦板を固定部として機能させたことを特徴とする。
また、接合手段は、下側接合部材の接合部と上側接合部材の接合部とを貫通するように形成された連結軸挿入用貫通孔と、連結軸挿入用貫通孔に挿入された連結軸と、連結軸を連結軸挿入用貫通孔に固定した固定部材とを備えたことを特徴とする。
また、下柱及び上柱は、材軸方向と直交する断面が矩形状に形成された複数の木製の柱構成部材が接合されて１つの柱構成部材の断面よりも大きい断面に形成された柱であって、材軸方向に沿った対向面同士が所定の間隔を隔てて互いに対向するように配置された一方の柱構成部材及び他方の柱構成部材と、互いに所定の間隔を隔てて対向する一方の柱構成部材の対向面と他方の柱構成部材の対向面との間に設けられた金属板と、金属板の一方の板面と一方の柱構成部材の対向面とが接触し、かつ、金属板の他方の板面と他方の柱構成部材の対向面とが接触した状態で、当該一方の柱構成部材と金属板と他方の柱構成部材とを接合した接合手段とを備えて構成され、上側接合部材の固定部が、上柱の下端面に開口する一方の柱構成部材の対向面と他方の柱構成部材の対向面との間に挿入されて固定手段により固定され、下側接合部材の固定部が、下柱の上端面に開口する一方の柱構成部材の対向面と他方の柱構成部材の対向面との間に挿入されて固定手段により固定されたことを特徴とする。
また、固定手段は、一方の柱構成部材と固定部と他方の柱構成部材とに亘って連続するように設けられた連結軸挿入用貫通孔と、連結軸挿入用貫通孔に挿入された連結軸と、連結軸を連結軸挿入用貫通孔に固定した固定部材とを備えたことを特徴とする。
また、一方の柱構成部材と金属板と他方の柱構成部材とを接合した接合手段は、一方の柱構成部材と金属板と他方の柱構成部材とに亘って連続するように設けられた連結軸挿入用貫通孔と、連結軸挿入用貫通孔に挿入された連結軸と、連結軸を連結軸挿入用貫通孔に固定した固定部材とを備えたことを特徴とする。
また、金属板は、Ｔ形鋼の縦板により形成され、Ｔ形鋼は、一方の柱構成部材の対向面及び他方の柱構成部材の対向面と縦板の板面とが接触し、かつ、一方の柱構成部材の対向面と直交して材軸方向に延長する一方の柱構成部材の外面及び他方の柱構成部材の対向面と直交して材軸方向に延長する他方の柱構成部材の外面と横板における縦板側の板面とが接触した状態に設置されたことを特徴とする。
本発明に係る柱接合構造によれば、接合部分の強度及び剛性を大きくでき、しかも、簡単かつ安価な柱接合構造を提供できる。
本発明の柱梁接合構造は、上述した柱接合構造により接合された柱と木質の梁との柱梁接合構造であって、上側接合部材の接合部又は下側接合部材の接合部が、柱の側面よりも外側に延長する梁接合部を備え、当該梁接合部と梁の端面から外方に延長するように設けられた金属製の柱接合部とが接合手段により接合されたことにより、柱と梁とが接合されたことを特徴とする。
また、梁は、材軸方向と直交する断面が矩形状に形成された複数の木製の梁構成部材が接合されて１つの梁構成部材の断面よりも大きい断面に形成された梁であって、材軸方向に沿った対向面同士が所定の間隔を隔てて互いに対向するように配置された一方の梁構成部材及び他方の梁構成部材と、互いに所定の間隔を隔てて対向する一方の梁構成部材の対向面と他方の梁構成部材の対向面との間に設けられた金属板と、金属板の一方の板面と一方の梁構成部材の対向面とが接触し、かつ、金属板の他方の板面と他方の梁構成部材の対向面とが接触した状態で、当該一方の梁構成部材と金属板と他方の梁構成部材とを接合した接合手段とを備えて構成され、金属板は、Ｔ形鋼の縦板により形成され、Ｔ形鋼は、一方の柱構成部材の対向面及び他方の柱構成部材の対向面と縦板の板面とが接触し、かつ、一方の柱構成部材の対向面と直交して材軸方向に延長する一方の柱構成部材の外面及び他方の柱構成部材の対向面と直交して材軸方向に延長する他方の柱構成部材の外面と横板における縦板側の板面とが接触した状態に設置され、柱接合部は、梁の端面から外方に延長するように設けられたＴ形鋼の横板により形成されたことを特徴とする。
本発明に係る柱梁接合構造によれば、柱梁接合部分の強度及び剛性を大きくできるとともに、簡単かつ安価な柱梁接合構造を提供できる。
【図面の簡単な説明】
【０００６】
【図１】柱接合構造を示す断面図（実施形態１）。
【図２】下柱と上柱とが接合されて構成された柱を示す斜視図（実施形態１）。
【図３】下柱と上柱とを分離して示す斜視図（実施形態１）。
【図４】柱接合構造を示す分解斜視図（実施形態１）。
【図５】柱梁接合構造を示す断面図（実施形態２）。
【図６】柱梁接合構造を示す斜視図（実施形態２）。
【図７】柱梁接合構造の適用例を示す平面図（実施形態２）
【発明を実施するための形態】
【０００７】
実施形態１
図１乃至図４を参照し、実施形態１に係る柱接合構造を説明する。
実施形態１に係る柱接合構造は、下側に配置された木質の下柱１Ｘの上端面１ｔよりも上方に突出するように設けられた金属製の下側接合部材２Ｘと、上側に配置された木質の上柱１Ｙの下端面１ｕよりも下方に突出するように設けられた金属製の上側接合部材２Ｙとを備えて、下側接合部材２Ｘと上側接合部材２Ｙとが接合されることによって下柱１Ｘと上柱１Ｙとが接合された柱接合構造である。
【０００８】
下側接合部材２Ｘは、下柱１Ｘの上端面１ｔより下方に向けて下柱１Ｘの中心軸１Ｃに沿った方向に延長する間隙Ｓに、下柱１Ｘの上端面１ｔに開口する開口部から挿入されて下柱１Ｘに固定手段により固定される固定部２Ａと、固定部２Ａの上端に設けられて上面（板面）２ａが下柱１Ｘの中心軸１Ｃと直交する方向に延長する接合部２Ｂとを備える。
同様に、上側接合部材２Ｙは、上柱１Ｙの下端面１ｕより上方に向けて上柱１Ｙの中心軸１Ｃに沿った方向に延長する間隙Ｓに、上柱１Ｙの下端面１ｕに開口する開口部から挿入されて上柱１Ｙに固定手段により固定される固定部２Ａと、固定部２Ａの下端に設けられて下面（板面）２ｂが上柱１Ｙの中心軸１Ｃと直交する方向に延長する接合部２Ｂとを備える。
【０００９】
そして、実施形態１に係る柱接合構造は、下側接合部材２Ｘの接合部２Ｂの上面（板面）２ａと上側接合部材２Ｙの接合部２Ｂの下面（板面）２ｂとが接触した状態で、下側接合部材２Ｘの接合部２Ｂと上側接合部材２Ｙの接合部２Ｂとが接合手段により接合されて構成される。
【００１０】
下柱１Ｘ及び上柱１Ｙは、材軸方向と直交する断面が矩形状に形成された複数の木製の柱構成部材が接合されて１つの柱構成部材の断面よりも大きい断面に形成される。
即ち、下柱１Ｘ及び上柱１Ｙは、軸方向に沿った対向面１ａ，１ａ同士が所定の間隔を隔てて互いに対向するように例えば左右に配置された一方の柱構成部材１Ａ及び他方の柱構成部材１Ｂと、互いに所定の間隔を隔てて対向する一方の柱構成部材１Ａの対向面１ａと他方の柱構成部材１Ｂの対向面１ａとの間に設けられた金属板３と、金属板３の一方の板面と一方の柱構成部材１Ａの対向面１ａとが接触し、かつ、金属板３の他方の板面と他方の柱構成部材１Ｂの対向面１ａとが接触した状態で、当該一方の柱構成部材１Ａと金属板３と他方の柱構成部材１Ｂとを接合した接合手段とを備えて構成される。
【００１１】
一方の柱構成部材１Ａと金属板３と他方の柱構成部材１Ｂとを接合する接合手段は、例えば、一方の柱構成部材１Ａと金属板３と他方の柱構成部材１Ｂとに亘って連続するように設けられた連結軸挿入用貫通孔４と、複数の連結軸挿入用貫通孔４に挿入された連結軸５と、連結軸５を連結軸挿入用貫通孔４に固定する固定部材としてのナット６とで構成した。
【００１２】
柱構成部材１Ａ，１Ｂは、材軸方向（長手方向）と直交する断面が矩形状に形成された長尺な柱構成部材であり、ＣＬＴ（Cross Laminated Timber（直交集成板））又は集成材により形成される。
尚、ＣＬＴとは、農林水産省告示第３０７９号に規定されたように、「ひき板又は小角材（これらをその繊維方向を互いにほぼ平行にして長さ方向に接合接着して調整したものを含む。）をその繊維方向を互いにほぼ平行にして幅方向に並べ又は接着したものを、主としてその繊維方向を互いにほぼ直角にして積層接着し３層以上の構造を持たせた一般材」である。
即ち、ＣＬＴは、張り合わせる板の繊維方向が直交するように複数の板を張り合わせて構成された木材であり、直交集成板と呼ばれている。
また、集成材は、張り合わせる板の繊維方向が並行方向となるように複数の板を張り合わせて構成された木材である。
【００１３】
互いに所定の間隔を隔てて対向する柱構成部材１Ａ，１Ｂの対向面１ａ，１ａは、図３に示すように、材軸方向に沿った辺となる互いに平行な辺１ｂ，１ｂと、当該辺１ｂ，１ｂの一端同士を繋ぐ辺１ｃと、当該辺１ｂ，１ｂの他端同士を繋ぐ辺１ｄとで囲まれた面である。
【００１４】
金属板３は、縦板３１と横板３２とを備えた断面Ｔ字状のＴ形鋼３０の縦板３１により形成される。
【００１５】
Ｔ形鋼３０は、例えば、図３，図４に示すように、一方の柱構成部材１Ａと他方の柱構成部材１Ｂとが組合されて構成される柱１（下柱１Ｘ，上柱１Ｙ）において互いに対向する一方の側面１ｅ側と他方の側面１ｆ側とにそれぞれ前後に対称な状態に設置される。
即ち、図４に示すように、柱１の他方の側面１ｆ側に設置される他方のＴ形鋼３０は、縦板３１の一方の板面３１ａと一方の柱構成部材１Ａの対向面１ａとが接触するとともに、縦板３１の他方の板面３１ｂと他方の柱構成部材１Ｂの対向面１ａとが接触する状態に設置される。さらに、一方の柱構成部材１Ａの対向面１ａと直交して材軸方向に延長する一方の柱構成部材１Ａの外面としての他方の側面１ｆ及び他方の柱構成部材１Ｂの対向面１ａと直交して材軸方向に延長する他方の柱構成部材１Ｂの外面としての他方の側面１ｆと横板３２における縦板３１側の板面３２ａ，３２ａ（縦板３１と横板３２との境界部で区切られた板面）とが接触した状態に設置される。
同様に、柱１の一方の側面１ｅ側に設置される一方のＴ形鋼３０は、縦板３１の一方の板面３１ａと一方の柱構成部材１Ａの対向面１ａとが接触するとともに、縦板３１の他方の板面３１ｂと他方の柱構成部材１Ｂの対向面１ａとが接触し、かつ、一方の柱構成部材１Ａの対向面１ａと直交して材軸方向に延長する一方の柱構成部材１Ａの外面としての一方の側面１ｅ及び他方の柱構成部材１Ｂの対向面１ａと直交して材軸方向に延長する他方の柱構成部材１Ｂの外面としての一方の側面１ｅと横板３２における縦板３１側の板面３２ａ，３２ａ（縦板３１と横板３２との境界部で区切られた板面）とが接触した状態に設置される。
また、柱１の一方の側面１ｅ側に設置される一方のＴ形鋼３０の縦板３１の先端３１ｅと柱１の他方の側面１ｆ側に設置されるＴ形鋼３０の縦板３１の先端３１ｅとが間隔Ｔを隔てて離間するように構成される。
即ち、柱１においては、Ｔ形鋼３０，３０が、前後で対向する柱１の一方の側面１ｅ側及び柱１の他方の側面１ｆ側にそれぞれ前後対称となるように設置され、柱１の一方の側面１ｅ側に設置される一方のＴ形鋼３０の縦板３１の先端３１ｅと柱１の他方の側面１ｆ側に設置される他方のＴ形鋼３０の縦板３１の先端３１ｅとの間に間隔Ｔが設けられた構成とした。
従って、断面寸法の一定なＴ形鋼３０，３０を用いて、間隔Ｔを変えることで、様々な断面寸法の柱１を形成できるようになるので、様々な断面寸法の柱１を安価に提供できるようになる。
【００１６】
図１，図３に示すように、連結軸挿入用貫通孔４は、一方の柱構成部材１Ａの例えば左右の面（対向面１ａと側面１ｇ）に貫通するように形成された貫通孔４Ａと、他方の柱構成部材１Ｂの例えば左右の面（対向面１ａと側面１ｈ）に貫通するように形成された貫通孔４Ｂと、Ｔ形鋼３０の縦板３１に形成された貫通孔４Ｃとで構成される。
即ち、連結軸挿入用貫通孔４は、Ｔ形鋼３０の縦板３１と、縦板３１の一方の板面３１ａと対向面１ａとが接触するように設置された一方の柱構成部材１Ａと、縦板３１の他方の板面３１ｂと対向面１ａとが接触するように設置された他方の柱構成部材１Ｂとに連続するように形成された貫通孔４Ａ，４Ｃ，４Ｂとで構成される。
【００１７】
連結軸挿入用貫通孔４の孔径は、連結軸５を挿入可能なように、連結軸５の軸径に対応して当該軸径より若干大きい寸法に形成されている。
【００１８】
図１に示すように、連結軸挿入用貫通孔４の両端側には、ナット６の径に対応して当該ナット６の径より若干大きい寸法の径に形成された大径部４１，４１を備えている。
一方の大径部４１は、連結軸挿入用貫通孔４の一端開口より延長して一方の柱構成部材１Ａの対向面１ａと対向する側面１ｇに開口する大径孔に形成される。
同様に、他方の大径部４１は、連結軸挿入用貫通孔４の他端開口より延長して他方の柱構成部材１Ｂの対向面１ａと対向する側面１ｈに開口する大径孔に形成される。
【００１９】
連結軸５は、連結軸挿入用貫通孔４の長さよりも長く、かつ、柱１の例えば左右幅寸法よりも短い長さに形成され、連結軸挿入用貫通孔４を貫通して当該連結軸挿入用貫通孔４の両端よりそれぞれ大径部４１，４１に突出する両端部は、ナット６が螺着されるねじ部５１，５１に形成されている。
【００２０】
即ち、一方の柱構成部材１Ａの対向面１ａと他方の柱構成部材１Ｂの対向面１ａとの間に、これら対向面１ａ，１ａとＴ形鋼３０の縦板３１の板面３１ａ，３１ｂとを接触させるとともに、貫通孔４Ａ，４Ｃ，４Ｂの中心軸を一致させて連結軸挿入用貫通孔４を形成するように、一方の柱構成部材１Ａと他方の柱構成部材１ＢとＴ形鋼３０とを位置決めした後、連結軸５を連結軸挿入用貫通孔４に挿入し、連結軸挿入用貫通孔４の両端側に位置される大径部４１，４１にそれぞれナット６を挿入して当該ナット６を連結軸５の端部のねじ部５１に螺着して締結することにより、一方の柱構成部材１Ａと縦板３１（金属板３）と他方の柱構成部材１Ｂとが接合されて柱１が構成される。
つまり、柱１の左右幅の中間に位置される一方の柱構成部材１Ａの対向面１ａと他方の柱構成部材１Ｂの対向面１ａとの間隙Ｓに縦板３１（金属板３）が介在した剛性の大きい安価な構成の木質の柱１（下柱１Ｘ，上柱１Ｙ）となる。
【００２１】
下側接合部材２Ｘ及び上側接合部材２Ｙは、例えば、縦板２１と横板２２とを備えた断面Ｔ字状のＴ形鋼２０により構成される。
【００２２】
即ち、下側接合部材２Ｘを構成するＴ形鋼２０は、下柱１Ｘを構成する一方の柱構成部材１Ａの対向面１ａと他方の柱構成部材１Ｂの対向面１ａとの間である間隙Ｓに、下柱１Ｘの下端面１ｕに開口する間隙Ｓの開口から挿入されて下柱１Ｘに固定手段を介して固定される固定部２Ａとして機能する縦板２１と、縦板２１の上端に設けられて上面（板面）２ａが下柱１Ｘの中心軸１Ｃと直交する方向に延長する接合部２Ｂとして機能する横板２２とを備えた構成である。
同様に、上側接合部材２Ｙを構成するＴ形鋼２０は、上柱１Ｙを構成する一方の柱構成部材１Ａの対向面１ａと他方の柱構成部材１Ｂの対向面１ａとの間である間隙Ｓに、上柱１Ｙの上端面１ｔに開口する間隙Ｓの開口から挿入されて上柱１Ｙに固定手段を介して固定される固定部２Ａとして機能する縦板２１と、縦板２１の下端に設けられて下面（板面）２ｂが上柱１Ｙの中心軸１Ｃと直交する方向に延長する接合部２Ｂとして機能する横板２２とを備えた構成である。
そして、下側接合部材２Ｘの接合部２Ｂとなる横板２２の上面２ａと上側接合部材２Ｙの接合部２Ｂとなる横板２２の下面２ｂとが接触するように、下側接合部材２Ｘの接合部２Ｂと上側接合部材２Ｙの接合部２Ｂとが接合手段により接合されることによって、下柱１Ｘと上柱１Ｙとが接合される。
【００２３】
図１に示すように、固定部２Ａを柱１（下柱１Ｘ，上柱１Ｙ）に固定する固定手段は、例えば、一方の柱構成部材１Ａと固定部２Ａとしての縦板２１と他方の柱構成部材１Ｂとに亘って連続するように設けられた連結軸挿入用貫通孔４０と、連結軸挿入用貫通孔４０に挿入された連結軸５０と、連結軸５０を連結軸挿入用貫通孔４０に固定する固定部材としてのナット６０とで構成した。
【００２４】
図１，図３に示すように、連結軸挿入用貫通孔４０は、一方の柱構成部材１Ａに形成された貫通孔４０Ａと、他方の柱構成部材１Ｂに形成された貫通孔４０Ｂと、Ｔ形鋼３０の縦板２１に形成された貫通孔４０Ｃとで構成される。
即ち、連結軸挿入用貫通孔４０は、Ｔ形鋼２０の縦板２１と、縦板２１の一方の板面２１ａと対向面１ａとが接触するように設置された一方の柱構成部材１Ａと、縦板２１の他方の板面２１ｂと対向面１ａとが接触するように設置された他方の柱構成部材１Ｂとに連続するように形成された貫通孔４０Ａ，４０Ｃ，４０Ｂとで構成される。
尚、下柱１Ｘの連結軸挿入用貫通孔４０は、下柱１Ｘの上端側に形成され、上柱１Ｙの連結軸挿入用貫通孔４０は、上柱１Ｙの下端側に形成される。
【００２５】
連結軸挿入用貫通孔４０の孔径は、連結軸５０を挿入可能なように、連結軸５０の軸径に対応して当該軸径より若干大きい寸法に形成されている。
【００２６】
図１に示すように、連結軸挿入用貫通孔４０の両端側には、ナット６０の径に対応して当該ナット６０の径より若干大きい寸法の径に形成された大径部４１Ａ，４１Ａを備えている。
一方の大径部４１Ａは、連結軸挿入用貫通孔４０の一端開口より延長して一方の柱構成部材１Ａの対向面１ａと対向する側面１ｇに開口する大径孔に形成される。
同様に、他方の大径部４１Ａは、連結軸挿入用貫通孔４０の他端開口より延長して他方の柱構成部材１Ｂの対向面１ａと対向する側面１ｈに開口する大径孔に形成される。
【００２７】
連結軸５０は、連結軸挿入用貫通孔４０の長さよりも長く、かつ、柱１の左右幅寸法よりも短い長さに形成され、連結軸挿入用貫通孔４０を貫通して当該連結軸挿入用貫通孔４０の両端よりそれぞれ大径部４１Ａ，４１Ａに突出する両端部は、ナット６０が螺着されるねじ部５１Ａ，５１Ａに形成されている。
【００２８】
即ち、一方の柱構成部材１Ａの対向面１ａと他方の柱構成部材１Ｂの対向面１ａとの間に、Ｔ形鋼２０の縦板２１を挿入するとともに、貫通孔４０Ａ，４０Ｃ，４０Ｂの中心軸を一致させて連結軸挿入用貫通孔４０を形成するように、Ｔ形鋼２０を位置決めした後、連結軸５０を連結軸挿入用貫通孔４０に挿入し、連結軸挿入用貫通孔４０の両端側に位置される大径部４１Ａ，４１Ａにそれぞれナット６０，６０を挿入して当該ナット６０を連結軸５０の端部のねじ部５１Ａに螺着して締結することにより、固定部２Ａとして機能する縦板２１が柱１に固定される。
これにより、図１に示すように、下側接合部材２Ｘの接合部２Ｂが、下柱１Ｘの上端面１ｔより上方に突出するように設けられるとともに、上側接合部材２Ｙの接合部２Ｂが、上柱１Ｙの下端面１ｕより下方に突出するように設けられる。
【００２９】
下側接合部材２Ｘの接合部２Ｂと上側接合部材２Ｙの接合部２Ｂとを接合する接合手段は、例えば、図１，図４に示すように、下側接合部材２Ｘの接合部２Ｂの下面に添えるように設置されるスプライスプレート（添板）６１と、上側接合部材２Ｙの接合部２Ｂの上面に添えるように設置されるスプライスプレート（添板）６２と、スプライスプレート６１に形成された貫通孔６３ａ，下側接合部材２Ｘの接合部２Ｂに形成された貫通孔６３ｂ，上側接合部材２Ｙの接合部２Ｂに形成された貫通孔６３ｃ，スプライスプレート６２に形成された貫通孔６３ｄにより構成された貫通孔６３と、貫通孔６３を貫通するように設けられた連結軸６４と、貫通孔６３を貫通した連結軸６４の両端側に形成されたねじ部に螺着されて締結されて連結軸６４を貫通孔に固定する固定部材としてのナット６５，６５とで構成される。
【００３０】
即ち、図１に示すように、スプライスプレート６１，下側接合部材２Ｘの接合部２Ｂ，上側接合部材２Ｙの接合部２Ｂ，スプライスプレート６２を貫通する貫通孔６３を貫通するように設けられた連結軸６４の上下の両端側に形成されたねじ部にそれぞれナット６５，６５を螺着して締結することにより、下側接合部材２Ｘの接合部２Ｂの上面２ａと上側接合部材２Ｙの接合部２Ｂの下面２ｂとが接触するように、下側接合部材２Ｘの接合部２Ｂと上側接合部材２Ｙの接合部２Ｂとが接合手段により接合された接合部分１００が構成され、当該接合部分１００によって下柱１Ｘと上柱１Ｙとが接合された構成の柱２００が形成される。
【００３１】
実施形態１に係る柱接合構造によれば、下柱１Ｘの上端面１ｔよりも上方に突出するように下側接合部材２Ｘを設けるとともに、上柱１Ｙの下端面１ｕよりも下方に突出するように上側接合部材２Ｙを設け、下柱１Ｘ及び上柱１Ｙの中心軸１Ｃと直交する下側接合部材２Ｘの接合部２Ｂの上面２ａと上側接合部材２Ｙの接合部２Ｂの下面２ｂとが接触するように接合された構成の接合部分１００を介して下柱１Ｘと上柱１Ｙとが接合されたので、接合部分１００の強度及び剛性を大きくでき、しかも、簡単な構成で、かつ、安価な柱接合構造となる。
【００３２】
また、上述した特許文献１の接合構造では、接合板をはめ込むための溝を上柱の下端面及び下柱の上端面に形成しなければならないため、柱の加工手間がかかるという課題があったが、実施形態１では、一方の柱構成部材１Ａと、他方の柱構成部材１Ｂと、互いに間隔を隔てて対向する一方の柱構成部材１Ａの対向面１ａと他方の柱構成部材１Ｂの対向面１ａとの間に設けられた金属板３とを備えて構成された柱１（下柱１Ｘ，上柱１Ｙ）を用いたので、柱の端面に特許文献１のような溝を形成しなくてもよいため、特許文献１と比べて、柱の加工手間を少なくできるという効果も得られる。
【００３３】
実施形態２
図５乃至図７を参照し、実施形態１で説明した柱接合構造により接合された柱２００と木質の梁１０との柱梁接合構造を説明する。
【００３４】
実施形態２に係る当該柱梁接合構造は、図５に示すように、接合部分１００における上側接合部材２Ｙの接合部２Ｂが柱１の側面１ｇよりも外側に延長する梁接合部２Ｃを備え、当該梁接合部２Ｃと梁１０の端面１１から外方に延長するように設けられた金属製の柱接合部１２とが接合手段により接合されたことにより、柱２００と梁１０とが接合された柱梁接合構造とした。
【００３５】
梁１０は、上述した柱１と同様に構成される。
即ち、図６に示すように、梁１０は、材軸方向と直交する断面が矩形状に形成された複数の木製の梁構成部材が接合されて１つの梁構成部材の断面よりも大きい断面に形成された梁であり、材軸方向に沿った対向面１０ａ，１０ａ同士が所定の間隔を隔てて互いに対向するように配置された一方の梁構成部材１０Ａ及び他方の梁構成部材１０Ｂと、互いに所定の間隔を隔てて対向する一方の梁構成部材１０Ａの対向面１０ａと他方の梁構成部材１０Ｂの対向面１０ａとの間に設けられた金属板３と、金属板３の一方の板面と一方の梁構成部材１０Ａの対向面１０ａとが接触し、かつ、金属板３の他方の板面と他方の梁構成部材１０Ｂの対向面１０ａとが接触した状態で、当該一方の梁構成部材１０Ａと金属板３と他方の梁構成部材１０Ｂとを接合した接合手段とを備えて構成される。
当該接合手段は、例えば、上述した一方の柱構成部材１Ａと金属板３と他方の柱構成部材１Ｂとを接合する接合手段と同じように、一方の梁構成部材１０Ａと金属板３と他方の梁構成部材１０Ｂとに亘って連続するように設けられた連結軸挿入用貫通孔と、連結軸挿入用貫通孔に挿入された複数の連結軸と、連結軸を連結軸挿入用貫通孔に固定する固定部材としてのナットとで構成した。
また、梁構成部材１０Ａ，１０Ｂは、材軸方向（長手方向）と直交する断面が矩形状に形成された長尺な梁構成部材であり、上述した柱構成部材と同様に、ＣＬＴ又は集成材により形成される。
【００３６】
また、金属板３は、実施形態１で説明した金属板３と同様に、縦板３１と横板３２とを備えた断面Ｔ字状のＴ形鋼３０の縦板３１により形成される。
即ち、梁１０の上面側に設置される一方のＴ形鋼３０は、縦板３１の一方の板面と一方の梁構成部材１０Ａの対向面１０ａとが接触するとともに、縦板３１の他方の板面と他方の梁構成部材１０Ｂの対向面１０ａとが接触し、かつ、一方の梁構成部材１０Ａの対向面１０ａと直交して材軸方向に延長する一方の梁構成部材１０Ａの上面及び他方の梁構成部材１０Ｂの対向面１０ａと直交して材軸方向に延長する他方の梁構成部材１０Ｂの上面とＴ形鋼３０の横板３２における縦板３１側の板面（縦板３１と横板３２との境界部で区切られた板面）とが接触した状態に設置される。
また、同様に、梁１０の下面側に設置される他方のＴ形鋼３０は、縦板３１の一方の板面と一方の梁構成部材１０Ａの対向面１０ａとが接触するとともに、縦板３１の他方の板面と他方の梁構成部材１０Ｂの対向面１０ａとが接触し、かつ、一方の梁構成部材１０Ａの対向面１０ａと直交して材軸方向に延長する一方の梁構成部材１０Ａの下面及び他方の梁構成部材１０Ｂの対向面１０ａと直交して材軸方向に延長する他方の梁構成部材１０Ｂの下面とＴ形鋼３０の横板３２における縦板３１側の板面（縦板３１と横板３２との境界部で区切られた板面）とが接触した状態に設置される。
また、梁１０の上面側に設置される一方のＴ形鋼３０の縦板３１の下端と梁１０の下面側に設置されるＴ形鋼３０の縦板３１の上端とが間隔Ｔを隔てて離間するように構成される。
従って、断面寸法の一定なＴ形鋼３０，３０を用いて、間隔Ｔを変えることで、様々な断面寸法（梁せい寸法）の梁を形成できるようになるので、様々な断面寸法（梁せい寸法）の梁を安価に提供できるようになる。
【００３７】
梁接合部２Ｃは、例えば図５，図６に示すように、上側接合部材２Ｙの接合部２Ｂより延長して柱１の側面１ｇよりも外側に突出して柱１の中心軸１Ｃと直交する板面を有した平板により形成される。梁接合部２Ｃは、例えば、接合部２Ｂを形成するＴ形鋼２０の横板２２を水平方向に延長させた部分により形成される。さらに、換言すれば、Ｔ形鋼２０の縦板２１の下端から互いに反対方向に延長する横板構成部分のうちの一方の横板構成部分の延長長さが他方の横板構成部分の延長長さよりも長く形成され、柱１の側面１ｇよりも外側に突出する当該一方の横板構成部分の延長端側の部分を梁接合部２Ｃとした。
【００３８】
柱接合部１２は、例えば、梁１０の端面１１側の上端側に取付けられて梁１０の端面１１よりも外側に突出するＴ形鋼３０の横板３２により形成される。
【００３９】
梁接合部２Ｃと柱接合部１２とを接合する接合手段は、例えば図６に示すように、梁接合部２Ｃの上面に設置されるスプライスプレート（添板）１３と、柱接合部１２の下面に設置されるスプライスプレート（添板）１４と、スプライスプレート１３、梁接合部２Ｃ、柱接合部１２、スプライスプレート１４にそれぞれ形成された各貫通孔を連通させて形成された連結軸挿入用貫通孔１５と、連結軸挿入用貫通孔１５を貫通するように設けられた連結軸１６と、連結軸挿入用貫通孔１５を貫通した連結軸１６の両端側に形成されたねじ部に螺着されて締結されることによって連結軸１６を連結軸挿入用貫通孔１５に固定する固定部材としてのナット１７，１７とで構成される。
【００４０】
そして、図５に示すように、柱１の側面１ｇよりも外側に延長するように形成された梁接合部２Ｃの下面２Ｃｔと柱接合部１２の上面１２ｔとを接触させるとともに、梁接合部２Ｃの上面にスプライスプレート１３を設置し、かつ、柱接合部１２の下面にスプライスプレート１４を設置する。そして、スプライスプレート１３、梁接合部２Ｃ、柱接合部１２、スプライスプレート１４に形成された各貫通孔を一致させて連結軸挿入用貫通孔１５を形成し、連結軸挿入用貫通孔１５を貫通するように設けられた連結軸１６の上下の両端側にナット１７，１７を締結することによって、梁接合部２Ｃと柱接合部１２とが接合手段により接合された柱梁接合構造が構成される。
【００４１】
実施形態２に係る柱梁接合構造によれば、梁接合部２Ｃと柱接合部１２とが接合手段により接合されて構成された柱梁接合部分１５０を介して柱２００と梁１０とが接合されたので、柱梁接合部分１５０の強度及び剛性の大きくできるとともに、簡単、かつ、安価な柱梁接合構造を提供できる。
【００４２】
尚、接合部分１００における下側接合部材２Ｘの接合部２Ｂが柱１の側面１ｇよりも外側に延長する梁接合部を備えた構成とするとともに、当該梁接合部には、柱接合部を形成する梁１０の端面１１よりも外側に突出するＴ形鋼３０の縦板３１が挿入される溝（スリット）を形成した構成とし、横板３２における縦板３１側の下面と梁接合部の上面とを接触させた状態で、当該梁接合部と柱接合部とを接合手段で接合した柱梁接合構造としてもよい。
【００４３】
また、図７（ａ）に示すように、柱２００の４つの側面にそれぞれ柱梁接合部分１５０を介して梁１０を接合するようにしてもよい。
また、図７（ｂ）に示すように、柱２００の３つの側面にそれぞれ柱梁接合部分１５０を介して梁１０を接合するようにしてもよい。
また、図７（ｃ）に示すように、柱２００の互いに対向する２つの側面にそれぞれ柱梁接合部分１５０を介して梁１０を接合するようにしてもよい。
また、図７（ｄ）に示すように、柱２００の互いに隣り合う２つの側面にそれぞれ柱梁接合部分１５０を介して梁１０を接合するようにしてもよい。
【００４４】
尚、固定部２Ａを柱１（下柱１Ｘ，上柱１Ｙ）に固定する固定手段、一方の柱構成部材１Ａと金属板３と他方の柱構成部材１Ｂとを接合する接合手段、一方の梁構成部材１０Ａと金属板３と他方の梁構成部材１０Ｂとを接合する接合手段は、上述した構成に加えて接着剤を併用した手段、あるいは、上述した連結軸挿入用貫通孔に連結軸としてのドリフトピンを嵌入する手段を採用してもよい。
また、これら接合手段や固定手段の数は、部材の大きさ等に応じて決めればよい。
【００４５】
また、柱１や梁１０の互いに対向する一方の外面側と他方の外面側とにそれぞれ設けられたＴ形鋼３０，３０は、図６に示すように、柱１や梁１０の材軸方向に沿って間欠的に設けられた構成としても良いし、あるいは、柱１や梁１０の材軸方向に沿って連続して設けられた構成としても良い。
【００４６】
また、各実施形態では、Ｔ形鋼３０として、縦板３１の高さ寸法が、柱１の前後幅（あるいは左右幅）寸法の１／２よりも短い寸法、あるいは、梁１０の高さ寸法の１／２よりも短い寸法のものを用いた例を示したが、縦板３１の高さ寸法が、柱１の前後幅（あるいは左右幅）寸法より若干短い寸法、あるいは、梁１０の高さ寸法よりも若干短い寸法のＴ形鋼を用いても良い。
【００４７】
また、金属板３としては、Ｔ形鋼３０の代わりに、平鋼（フラットバー）を用いてもよい。
また、上述したスプライスプレートは、用いた方が好ましいが、用いなくてもよい。
【００４８】
また、各実施形態では、ＣＬＴ又は集成材により形成された柱構成部材や梁構成部材を用いた柱や梁を使用した例を示したが、無垢材により形成された柱や梁を用いてもよい。
【符号の説明】
【００４９】
１  柱、１Ｘ  下柱、１Ｙ  上柱、１ｇ  柱の側面、１ｔ  下柱の上端面、
１ｕ  上柱の下端面、２Ａ  固定部、２Ｂ  接合部、２Ｃ  梁接合部、
２Ｘ  下側接合部材、２Ｙ  上側接合部材、２ａ  下側接合部材の上面、
２ｂ  上側接合部材の下面、３  金属板、１０  梁、１１  梁の端面、１２  柱接合部、
２０，３０  Ｔ形鋼、２１  Ｔ形鋼の縦板（固定部）、３１  Ｔ形鋼の縦板（金属板）、２２  Ｔ形鋼の横板（接合部）、３２  Ｔ形鋼の横板、６３  （連結軸挿入用）貫通孔、
６４  連結軸、６５  ナット（固定部材）。
【図１】
2020147998.tif 000003
【図２】
2020147998.tif 000004
【図３】
2020147998.tif 000005
【図４】
2020147998.tif 000006
【図５】
2020147998.tif 000007
【図６】
2020147998.tif 000008
【図７】
2020147998.tif 000009